(57)【要約】【課題】容器を振る動作中に、容器本体に固着した肩カバーから、上下動可能に係着されたスパウトが脱落するのを防止するエアゾール容器用キャップを提供する。【解決手段】ステム１６を囲んで取り付けられる肩カバー１４と、肩カバー１４の筒状中空部１８に沿って上下動可能に係着されるスパウト１３とからなるエアゾール容器用キャップ１０であって、肩カバー１４は、筒状中空部１８の内周面１８ａの対向する２箇所に、突起ストッパ部２０を有するガイド溝２１を備える。スパウト１３は、筒状中空部１８に沿って摺動する外筒２３に、板バネ弾性部２４とガイド突起２５とからなる遊嵌係着部２６を備える。ガイド突起２５はガイド溝２１にスライド可能に係着し、板バネ弾性部２４は、ガイド突起２５の片側に沿って外筒２３の下端縁部２３ａから上方に形成された切り込み２６によって、ガイド突起２５の周囲の部分を径方向内方に板バネ状に弾性変形可能とする。【選択図】図２
2008044620.tif 000002
【特許請求の範囲】
【請求項１】
エアゾール容器の容器本体の天面部に設けられたステムを囲んで取り付けられる肩カバーと、該肩カバーの内側の筒状中空部に沿って上下動可能に係着され、前記ステムと連通して吐出ノズルから内容物を吐出させるスパウトとからなるエアゾール容器用キャップであって、
前記肩カバーは、前記筒状中空部の内周面の少なくとも２箇所に、上下方向に延設すると共に上端縁部が突起ストッパ部となったガイド溝を備えており、
前記スパウトは、前記ステムに接続される内筒の外側に配置されて前記筒状中空部の内周面に沿って摺動する外筒に、板バネ弾性部とガイド突起とからなる遊嵌係着部を備えており、
前記遊嵌係着部は、前記外筒の周方向における前記ガイド溝と対応する位置に各々設けられ、前記ガイド突起を前記ガイド溝に沿って上下方向にスライド可能に係着することにより、前記突起ストッパ部によって脱落を防止しつつ前記スパウトを前記肩カバーに対して上下動させるようになっており、
且つ前記遊嵌係着部の板バネ弾性部は、前記ガイド突起を挟んで前記外筒の周方向に隣接する片側に、前記外筒の下端縁部から前記ガイド突起の上方に至る切り込みを形成することにより、前記ガイド突起を含むこれの周囲の部分を前記外筒の径方向内方に板バネ状に弾性変形可能とするものであるエアゾール容器用キャップ。
【請求項２】
前記ガイド溝は、前記肩カバーの前記筒状中空部の内周面の少なくとも径方向に対向する２箇所に設けられており、前記遊嵌係着部は、前記外筒の周方向における前記ガイド溝と対応する位置に各々設けられている請求項１に記載のエアゾール容器用キャップ。
【請求項３】
前記遊嵌係着部の板バネ弾性部を形成するための前記切り込みは、前記外筒の径方向に対向する２箇所の前記遊嵌係着部において、前記ガイド突起を挟んだ前記外筒の周方向の同じ側に隣接して設けられることにより、前記外筒の径方向に対向して配置される請求項２に記載のエアゾール容器用キャップ。
【発明の詳細な説明】
【技術分野】
【０００１】
本発明は、エアゾール容器用キャップに関し、特に、容器本体の天面部に設けられたステムを囲んで取り付けられる肩カバーと、肩カバーの内側の筒状中空部に沿って上下動可能に係着され、ステムと連通して吐出ノズルから内容物を吐出させるスパウトとからなるエアゾール容器用キャップに関する。
【背景技術】
【０００２】
エアゾール容器は、容器本体の内部に内容物として薬剤、洗浄剤、毛髪剤等を噴射剤と共に封入し、容器本体の天面部を封止するマウンテンカップのバルブ内蔵部に設けたバネによって付勢された状態で突出するステムを、スパウトを介して押し下げることにより、内容物をスパウトの吐出ノズルから例えば噴霧状又は泡状の液体として吐出させるものである。
【０００３】
また、このようなエアゾール容器として、スパウトを介してステムを押圧する際の操作のし易さや、容器の外観等を鑑みて、容器本体の天面部から突出するステムを囲んで配置される肩カバー（組付体）と、肩カバーの内側に上下動可能に係着され、ステムと連通して吐出ノズルから内容物を吐出させるスパウト（ノズルヘッド）とからなるエアゾール容器用キャップを取り付けたものも開示されている（例えば、特許文献１参照）。特許文献１に記載のエアゾール容器では、内容物の不測の漏出を防止するため、スパウトに設けた脚片を、スパウトの回転によって肩カバーに設けた平坦板に係脱可能とし、スパウトの脚片を肩カバーの平坦板に係合させるロック状態により、スパウトの押下を阻止して内容物の漏出を防止するようになっている。
【特許文献１】特開平５−２８５４２８号公報
【発明の開示】
【発明が解決しようとする課題】
【０００４】
一方、エアゾール容器は、内容物の種類や使用目的等に応じて、種々の形態のものを開発することが要望されている。例えば、肩カバーとは別部品として成形されるスパウトを、肩カバーの上方から押し込んで、肩カバーに上下動可能に且つ脱落しないように容易に係着できるようにする形態や、スパウトを肩カバーに対して回転可能に係着するよりも、むしろ安定した状態で上下動させることのできる形態の開発が要望される場合がある。また、エアゾール容器として、容器本体を手で把持して良く振ってから、例えば内容物を発泡状態にして吐出させつつ用いられるものがあり、このようなエアゾール容器では、容器本体を振る動作中に、容器本体に固着された肩カバーから、上下動可能に係着されたスパウトが脱落するのを強固に防止できるようにすることが望まれている。
【０００５】
本発明は、スパウトを肩カバーの上方から押し込んで、肩カバーに上下動可能に且つ脱落しないように係着できると共に、スパウトを肩カバーに対して安定した状態で上下動させることができ、またエアゾール容器を振る動作中に、容器本体に固着された肩カバーから、上下動可能に係着されたスパウトが脱落するのを効果的に防止することのできるエアゾール容器用キャップを提供することを目的とする。
【課題を解決するための手段】
【０００６】
本発明は、エアゾール容器の容器本体の天面部に設けられたステムを囲んで取り付けられる肩カバーと、該肩カバーの内側の筒状中空部に沿って上下動可能に係着され、前記ステムと連通して吐出ノズルから内容物を吐出させるスパウトとからなるエアゾール容器用キャップであって、前記肩カバーは、前記筒状中空部の内周面の少なくとも２箇所に、上下方向に延設すると共に上端縁部が突起ストッパ部となったガイド溝を備えており、前記スパウトは、前記ステムに接続される内筒の外側に配置されて前記筒状中空部の内周面に沿って摺動する外筒に、板バネ弾性部とガイド突起とからなる遊嵌係着部を備えており、前記遊嵌係着部は、前記外筒の周方向における前記ガイド溝と対応する位置に各々設けられ、前記ガイド突起を前記ガイド溝に沿って上下方向にスライド可能に係着することにより、前記突起ストッパ部によって脱落を防止しつつ前記スパウトを前記肩カバーに対して上下動させるようになっており、且つ前記遊嵌係着部の板バネ弾性部は、前記ガイド突起を挟んで前記外筒の周方向に隣接する片側に、前記外筒の下端縁部から前記ガイド突起の上方に至る切り込みを形成することにより、前記ガイド突起を含むこれの周囲の部分を前記外筒の径方向内方に板バネ状に弾性変形可能とするものであるエアゾール容器用キャップを提供することにより、上記目的を達成したものである。
【発明の効果】
【０００７】
本発明のエアゾール容器用キャップによれば、スパウトを肩カバーの上方から押し込んで、肩カバーに上下動可能に且つ脱落しないように係着できると共に、スパウトを肩カバーに対して安定した状態で上下動させることができ、またエアゾール容器を振る動作中に、容器本体に固着された肩カバーから、上下動可能に係着されたスパウトが脱落するのを効果的に防止することができる。
【発明を実施するための最良の形態】
【０００８】
本発明の好ましい一実施形態に係るエアゾール容器用キャップ１０は、図１（ａ），（ｂ）に示すように、例えば容器本体１２に内容物としてシェービングフォームの原液を収容し、噴射剤と混合して泡状の液体として吐出させるエアゾール容器１１の上端部に装着固定して用いられ、特に、エアゾール容器１１の使用時に、シェービングフォームの原液と噴射剤とを十分に混合するべく容器本体１２を把持してエアゾール容器１２を上下に激しく振った場合でも、エアゾール容器用キャップ１０のスパウト１３が、容器本体１２に固着された肩カバー１４から脱落するのを効果的に防止できるようにするために採用されたものである。
【０００９】
ここで、キャップ１０が採り付けられるエアゾール容器１１は、容器本体１２の内部に噴射剤と共に内容物を封入し、容器本体１２の天面部を封止するマウンテンカップ１５（図２（ｂ）参照）のバルブ内蔵部に設けたバネによって上方に付勢された状態で突出するステム１６（図２（ｂ）参照）を、キャップ１０のスパウト１３を介して押し下げることにより、内容物を泡状の液体としてスパウト１３の吐出ノズル１７から吐出させるものである。また本実施形態によれば、エアゾール容器１０の上端部には、容器本体１２の天面部から上方に突出するステム１６を囲んでキャップ１０の肩カバー１４が取り付けられており、この肩カバー１４の内側の筒状中空部１８（図２（ｂ）参照）に、ステム１６と連通するスパウト１３を上下動可能に係着し、スパウト１３の肩カバー１４よりも上方に配置された押圧部１９を押圧しつつステム１６を押し下げることにより、吐出ノズル１７から内容物を吐出させるようになっている。
【００１０】
そして、本実施形態のエアゾール容器用キャップ１０は、図２（ａ），（ｂ）及び図３（ａ），（ｂ）に示すように、エアゾール容器１１の容器本体１２の天面部に設けられたステム１６を囲んで取り付けられる肩カバー１４と、この肩カバー１４の内側の筒状中空部１８に沿って上下動可能に係着され、ステム１６と連通して吐出ノズル１７から内容物として例えばシェービングフォームを吐出させるスパウト１３とからなるキャップ１０であって、肩カバー１４は、筒状中空部１８の内周面１８ａの少なくとも２箇所に、上下方向に延設すると共に上端縁部が突起ストッパ部２０となったガイド溝２１を備えており（図４（ａ），（ｂ）参照）、スパウト１３は、ステム１６に接続される内筒２２の外側に配置されて筒状中空部１８の内周面１８ａに沿って摺動する外筒２３に、板バネ弾性部２４とガイド突起２５とからなる遊嵌係着部２６を備えている（図５（ａ）参照）。また遊嵌係着部２６は、外筒２３の周方向における肩カバー１４のガイド溝２１と対応する位置に各々設けられ、ガイド突起２５をガイド溝２１に沿って上下方向にスライド可能に係着することにより、突起ストッパ部２０によって脱落を防止しつつスパウト１３を肩カバー１４に対して上下動させるようになっている。さらに、遊嵌係着部２６の板バネ弾性部２４は、図５（ａ），（ｃ），（ｄ）に示すように、ガイド突起２５を挟んで外筒２３の周方向に隣接する片側（本実施形態では右側）に、外筒２３の下端縁部２３ａからガイド突起２５の上方に至る切り込み２７を形成することにより、ガイド突起２５を含むこれの周囲の部分を外筒２３の径方向内方に板バネ状に弾性変形可能とするものとなっている。
【００１１】
また、本実施形態では、ガイド溝２１は、図２（ｂ）に示すように、肩カバー１４の筒状中空部１８の内周面１８ａの径方向に対向する２箇所に設けられており、遊嵌係着部２６は、外筒２３の周方向におけるガイド溝２１と対応する位置に各々設けられている。
【００１２】
さらに、本実施形態では、遊嵌係着部２６の板バネ弾性部２４を形成するための切り込み２７は、図５（ｃ），（ｄ）に示すように、径方向に対向する２箇所の遊嵌係着部２６において、ガイド突起２５を挟んだ外筒２３の周方向の同じ側（本実施形では右側）に隣接して設けられることにより、外筒２３の径方向に対向して配置されるようになっている。
【００１３】
本実施形態よれば、エアゾール容器用キャップ１０を構成する肩カバー１４は、合成樹脂成形品であって、図４（ａ），（ｂ）に示すように、容器本体１２のマウンテンカップ１５に固定される環状固定部２８と、環状固定部２８から上方に向けて略円筒形状に立ち上がる中空２重構造の立上り壁部２９とからなり、立上り壁部２９の内壁２９ａの内側がスパウト１３を上下動可能に係着させる筒状中空部１８となっている。筒状中空部１８の底部は、立上り壁部２９の内壁２９ａの下端部に一体接合された底板３０によって、環状固定部２８の上方で閉塞されている。この底板３０の中央部分には、容器本体１２のステム１６やスパウト１３の内筒２２が上下動可能に挿入される開口スリーブ３４が設けられている。
【００１４】
また、肩カバー１４の立上り壁部２９には、スパウト１３の吐出ノズル１７が配置される前面側に、これの上端部から下方に向けて帯状に切り欠き形成した前方縦溝３１が設けられている（図２（ａ）参照）。この前方縦溝３１には、後述するスパウト１３の外筒２３の外周面から突出する前方ガイドピン３２が、上下動可能に遊嵌配置される。
【００１５】
一方、肩カバー１４の立上り壁部２９の後面側には、これの上端部から下方に向けて略半円形状に切り欠き形成した指添え凹部３３が設けられている。指添え凹部３３は、エアゾール容器１１を手で把持して使用する際に、容器１１の後ろ側からスパウト１３の押圧部１９を指でスムーズに押圧できるように、肩カバー１４の立上り壁部２９を切り欠いて形成したものであり、またこの指添え凹部３３は、後述するストッパー４０の舌状係止片４１が係止される係止凹部を兼ねるものである（図１（ａ）参照）。
【００１６】
ガイド溝２１は、スパウト１３の外筒２３に設けられた遊嵌係着部２６のガイド突起２５を、上下動可能に係着させる縦長の溝であり、本実施形態では、肩カバー１４の立上り壁部２９の内壁２９ａを帯状に切り欠いて、例えば幅が５ｍｍ、底板３０からの高さが１０ｍｍ程度の大きさで形成される。またガイド溝２１は、立上り壁部２９の上端縁部まで至ることなく、これの中間部分までの高さで形成されることにより、ガイド溝２１の上端の切り欠き縁部は、遊嵌係着されたガイド突起２５が上方に脱落するのを防止する、突起ストッパ部２０として機能する。
【００１７】
肩カバー１４と共に本実施形態のエアゾール容器用キャップ１０を構成するスパウト１２もまた、合成樹脂成形品であって、図５（ａ）〜（ｄ）に示すように、同心円状に配置された略円筒形状の内筒２２及び外筒２３と、これらの上端部を一体として覆う略円盤形状の押圧部１９とからなる。また押圧部１９には、当該押圧部１９から一体として前方に突出する吐出ノズル１７が連接配置されている。
【００１８】
内筒２２は、その内側に、スパウト１３の中心軸に沿って縦方向に延設される内容物の垂直流路３５が形成されるもので、その下端部にエアゾール容器１１のステム１６が填め込まれることによって当該ステム１６と連通し（図２（ｂ），図３（ｂ）参照）、ステム１６から噴射される内容物を、垂直流路３５及びこれの上端部と接続する押圧部１９の内部に形成された吐出流路３６を介して送り出し、吐出ノズル１７から吐出させる。また内筒２２の下端部にステム１６が填め込まれることにより、スパウト１３はステム１６によって支持され、ステム１６の付勢力に抗して押圧部１９を押し下げることにより、ステム１６から内容物を噴射させる。一方、押圧部１９への押圧を解除した際には、ステム１６の付勢力によってスパウト１３は上方に移動して、ステム１５からの内容物の噴射を遮断する。
【００１９】
外筒２３は、その外径が肩カバー１４の内側の筒状中空部１８の内径よりも僅かに小さくなるように形成されており、肩カバー１４の立上り壁部２９の内壁２９ａによる筒状中空部１８の内周面１８ａにその外側面を摺動させつつ、立上り壁部２９により案内させて、スパウト１３を安定した状態で肩カバー１４に対して上下方向にスライド移動させる。また、外筒２３の外周面には、前面側の吐出ノズル１７の下方に配置されて、略円形ドラム形状の前方ガイドピン３２が、前方に突出して設けられている。この前方ガイドピン３２は、上述のように、スパウト１３を肩カバー１４に係着した際に、肩カバー１４の立上り壁部２９に設けた前方縦溝３１に上下動可能に遊嵌する。さらに、外筒２３の外周面には、前方ガイドピン３２から周方向両側に略９０度離れた位置に、板バネ弾性部２４とガイド突起２５とからなる遊嵌係着部２６が、径方向に対向して一対設けられている。
【００２０】
本実施形態では、遊嵌係着部２６のガイド突起２５は、肩カバー１４のガイド溝２１に遊嵌可能な例えば４．５ｍｍ程度の幅を有すると共に、例えば下側面が外筒２３の外周面に対する傾斜面、上側面が外筒２３の外周面に対する垂直面となった略直角三角形の断面形状を備えている。ガイド突起２５は、例えば２．７ｍｍ程度の突出高さを備える突起として、その垂直面を外筒２３の下端縁部２３ａから例えば７ｍｍ程度の高さに配置して設けられる。ガイド突起２５の下側面が傾斜面となっていることにより、肩カバー１４の上方から外筒２３を押し込んでスパウト１３を肩カバーに係着する作業が容易になる。ガイド突起２５の上側面が垂直面となっていることにより、当該垂直面をガイド溝２１の上端の突起ストッパ部２０に確実に当接させて、係着されたガイド突起２５がガイド溝２１から脱落するのを効果的に阻止することが可能になる。
【００２１】
また、本実施形態では、遊嵌係着部２６の板バネ弾性部２４は、ガイド突起２５を挟んだ外筒２３の周方向に隣接する片側（本実施形態では右側）に、外筒２３の下端縁部２３ａからガイド突起２５の上方に至る切り込み２７を形成することによって設けられる。切り込み２７は、ガイド突起２５の右側縁部に沿って、例えば１．０ｍｍ程度の切り込み幅で、外筒２３の下端縁部２３ａから例えば９ｍｍ程度の長さで直線状に形成される。切り込み２７が設けられることにより、当該切り込み２７とガイド突起２５の下方の下端縁部２３ａとによって囲まれる、ガイド突起２５を含むこれの周囲の部分は、外筒２３の径方向内方に板バネ状に弾性変形可能な状態となり、板バネ弾性部２４として機能することになる。
【００２２】
スパウト１３の押圧部１９は、その周縁部分１９ａを外筒２３の外側に張り出させて略円盤形状に設けられる部分であって、その外径が、肩カバー１４の立上り壁部２９の上端部における外径よりも僅かに小さくなっている。また押圧部１９には、前方に突出して吐出ノズル１７が連接配置されており、また押圧部１９の内部には、垂直流路３５の上端部から横方向に延設される吐出流路３６が、垂直流路３５と連通して吐出ノズル１７の先端に至る長さで形成されている。
【００２３】
なお、本実施形態では、例えばエアゾール容器１１の使用前の状態においては、押圧部１９の外側に張り出した周縁部分１９ａの下面と、肩カバー１４の立上り壁部２９の上端部との間の間隔部分に、図１（ａ），（ｂ）に示すように、帯板リング形状のストッパー４０を填め込んでおくことにより、スパウト１３が不用意に押し下げられないようにすることができる。ストッパー４０は、図６に示すように、合成樹脂成形品であって、略円形リング形状に形成されると共に、その周方向の一部を拡開部４２として例えば６０〜１７０度の角度範囲で除去した形状を有している。拡開部４２を介して、ストッパー４０をスパウト１３の外筒２３の周囲に容易に着脱することができる。また、ストッパー４０には、拡開部４２と対向する反対側に配置されて、これの下端縁部から下方に突出する舌状係止片４１が設けられている。この舌状係止片４１を、肩カバー１４の立上り壁部２９の後面側に形成した指添え凹部３３に挿入係止することにより、押圧部１９の下方に装着されたストッパー４０が回転して位置ずれするのを阻止することが可能になる。
【００２４】
上述の構成を備える本実施形態のエアゾール容器用キャップ１０は、肩カバー１４の上方から外筒２３を押し込んでスパウト１３を肩カバーに係着した後、肩カバー１４の環状固定部２８の内周面に形成した係止突条２８ａ（図４（ｂ）参照）をマウンテンカップ１５の上端周縁部に係合することにより、エアゾール容器１１の容器本体１２の上端部に装着固定されて、エアゾール容器１１が使用に供される。これによって、エアゾール容器１１は、良く振ってシェービングフォームの原液と噴射剤とを混合すると共に、スパウト１３の押圧部１９を押圧して、吐出ノズル１７からシェービングフォームを泡状にして吐出させながら用いられる。
【００２５】
そして、本実施形態のエアゾール容器用キャップ１０によれば、スパウト１３を肩カバー１４の上方から押し込んで、肩カバー１４に上下動可能に且つ脱落しないように係着できると共に、スパウト１３を肩カバー１４に対して安定した状態で上下動させることができ、またエアゾール容器１１を振る動作中に、容器本体１２に固着された肩カバー１４から、上下動可能に係着されたスパウト１３が脱落するのを効果的に防止することができる。
【００２６】
すなわち、本実施形態によれば、スパウト１３は、肩カバー１４の筒状中空部１８の内周面１８ａに沿って摺動する外筒２３が、板バネ弾性部２４とガイド突起２５とからなる遊嵌係着部２６を備えており、ガイド突起２５を肩カバー１４の筒状中空部１８の内周面１８ａに形成したガイド溝２１に係着して、スパウト１３を肩カバー１４に対して上下動させるので、板バネ弾性部２４を外筒２３の径方向内方に弾性変形させつつスパウト１３を肩カバー１４に押し込むことにより、ガイド突起２５をガイド溝２１に係着できると共に、ガイド突起２５をガイド溝２１に沿って案内させつつ、好ましくは前方ガイドピン３２を前方縦溝３１に沿って案内させることと相俟って、スパウト１３を安定した状態で上下動させることが可能になる。
【００２７】
また、本実施形態では、遊嵌係着部２６の板バネ弾性部２４は、ガイド突起２５と隣接する周方向の片側に、外筒２３の下端縁部２３ａからガイド突起２５の上方に至る切り込み２７を形成することにより板バネ状に弾性変形可能となっているので、当該板バネ弾性部２４は過度に弾性変形することがなく、ガイド溝２１に遊嵌係着した後の弾性変形量を抑制して、ガイド溝２１の突起ストッパ部２０に係止されるアンダーカット部のかかり代を十分に確保することができ、これによってエアゾール容器１１を激しく振った場合でも、容器本体１２に固着された肩カバー１４からスパウト１３が脱落するのを効果的に回避することが可能になる。
【００２８】
さらに、本実施形態では、ガイド溝２１は、肩カバー１４の筒状中空部１８の内周面１８ａの径方向に対向する２箇所に設けられており、遊嵌係着部２６は、外筒２３の周方向におけるガイド溝２１と対応する位置に各々設けられているので、さらに安定した状態でスパウト１３を上下動させることが可能になる。
【００２９】
さらにまた、本実施形態では、遊嵌係着部２６の板バネ弾性部２４を形成するための切り込み２７は、径方向に対向する２箇所の遊嵌係着部２６において、ガイド突起２５を挟んだ外筒２３の周方向の同じ側（本実施形では右側）に隣接して設けられているので、スパウト１３を肩カバー１４の上方から押し込ん行く際に、スパウト１３が傾くのを抑制しつつバランスの良い安定した状態でスパウト１３を押し込んでゆくことが可能になる。
【００３０】
なお、本発明は上記実施形態に限定されることなく種々の変更が可能である。例えばガイド溝や遊嵌係着部は、筒状中空部や外筒の周面の径方向に対向する２箇所に設ける必要は必ずしもなく、例えば径方向に対向させることなく設けたり、１２０度の等角度間隔で３箇所に設けるここともでき、４箇所以上に設けることもできる。また、遊嵌係着部の板バネ弾性部を形成するための切り込みは、外筒の径方向に対向する２箇所の遊嵌係着部において、ガイド突起を挟んだ周方向の同じ側に隣接して設ける必要は必ずしもない。
【図面の簡単な説明】
【００３１】
【図１】本発明の好ましい一実施形態に係るエアゾール容器用キャップが取り付けられたエアゾール容器の（ａ）は側面図、（ｂ）は正面図である。
【図２】本発明の好ましい一実施形態に係るエアゾール容器用キャップの、内容物の吐出前の静止時における（ａ）は正面図、（ｂ）は断面図である。
【図３】本発明の好ましい一実施形態に係るエアゾール容器用キャップの、内容物の吐出時における（ａ）は正面図、（ｂ）は断面図である。
【図４】（ａ）は肩カバーの斜視図、（ｂ）は肩カバーの断面図である。
【図５】（ａ）はスパウトの側面図、（ｂ）はスパウトの断面図、（ｃ）はスパウトの正面図、（ｄ）はスパウトの背面図である。
【図６】ストッパーの斜視図である。
【符号の説明】
【００３２】
１０  エアゾール容器用キャップ
１１  エアゾール容器
１２  容器本体
１３  スパウト
１４  肩カバー
１５  マウンテンカップ
１６  ステム
１７  吐出ノズル
１８  筒状中空部
１８ａ  筒状中空部の内周面
１９  押圧部
２０  突起ストッパ部
２１  ガイド溝
２２  内筒
２３  外筒
２３ａ  外筒の下端縁部
２４  板バネ弾性部
２５  ガイド突起
２６  遊嵌係着部
２７  切り込み
２９  立上り壁部
４０  ストッパー
【図１】
2008044620.tif 000003
【図２】
2008044620.tif 000004
【図３】
2008044620.tif 000005
【図４】
2008044620.tif 000006
【図５】
2008044620.tif 000007
【図６】
2008044620.tif 000008